(57)【特許請求の範囲】
【請求項１】
外部から第１の通信媒体を介して転送されてきた印刷データに基づくプリンタ部による記録を行うプリンタ機能を備え且つ設定を行える操作部が設けられた画像処理装置と、該画像処理装置と第２の通信媒体を介して通信可能で、前記画像処理装置の設定を前記画像処理装置に行わせるべく前記画像処理装置に対して設定される情報を送出可能な情報処理装置と、を含むシステムであって、
前記情報処理装置が、
記憶部に保持された複数の画像処理装置の各々に対して設定されるべき情報を参照する参照手段と、
前記画像処理装置の操作部から変更可能な情報を含む前記画像処理装置に対して設定されるべき情報を、前記複数の画像処理装置の各々に対して前記第２の通信媒体を介して送出する送出手段と、
前記送出手段により送出された前記設定されるべき情報の設定が行われたか否かを判定し、その判定結果を記録する記録手段と、
前記情報の送出が失敗した場合および前記情報の送出が未完了の場合は、予め設定された間隔で前記第２の通信媒体の接続を行う接続手段と
を有し、
前記画像処理装置が、
前記情報処理装置の送出手段により送出されてきた前記設定されるべき情報を、変更がなされるまで初期設定とし、さらに前記設定されるべき情報の通信処理とは別の通信処理を実行可能であることを特徴とするシステム。
【請求項２】
前記参照手段は前記複数の画像処理装置の識別情報を順次読み出し、前記送出手段は前複数の画像処理装置の識別情報に基づき前記設定されるべき情報を送出することを特徴とする請求項１記載のシステム。
【請求項３】
前記記憶部に記憶された前記設定されるべき情報が変更された場合に、前記送出手段は前記画像処理装置へ前記変更された前記設定されるべき情報を送出することを特徴とする請求項１又は２記載のシステム。
【請求項４】
前記画像処理装置による前記別の通信処理にはファックス受信が含まれることを特徴とする請求項１乃至３のいずれかに記載のシステム。
【請求項５】
前記送出手段は、前記記録手段により前記設定されるべき情報の設定が行われていないと判定された場合でも、別の画像処理装置へ設定されるべき情報を送出することを特徴とする請求項１乃至４のいずれかに記載のシステム。
【請求項６】
外部から第１の通信媒体を介して転送されてきた印刷データに基づくプリンタ部による記録を行うプリンタ機能を備え且つ設定を行える操作部が設けられた画像処理装置と、該画像処理装置と第２の通信媒体を介して通信可能で、前記画像処理装置の設定を前記画像処理装置に行わせるべく前記画像処理装置に対して設定される情報を送出可能な情報処理装置と、を含むシステムにおける情報処理方法であって、
前記情報処理装置が、
記憶部に保持された複数の画像処理装置の各々に対して設定されるべき情報を参照する参照工程と、
前記画像処理装置の操作部から変更可能な情報を含む前記画像処理装置に対して設定されるべき情報を、前記複数の画像処理装置の各々に対して前記第２の通信媒体を介して送出する送出工程と、
前記送出工程により送出された前記設定されるべき情報の設定が行われたか否かを判定し、その判定結果を記録する記録工程と、
前記情報の送出が失敗した場合および前記情報の送出が未完了の場合は、予め設定された間隔で前記第２の通信媒体の接続を行う接続工程と
を有し、
前記画像処理装置が、
前記情報処理装置の送出工程により送出されてきた前記設定されるべき情報を、変更がなされるまで初期設定とし、さらに前記設定されるべき情報の通信処理とは別の通信処理を実行可能であることを特徴とする情報処理方法。
【請求項７】
前記参照工程は前記複数の画像処理装置の識別情報を順次読み出し、前記送出工程は前複数の画像処理装置の識別情報に基づき前記設定されるべき情報を送出することを特徴とする請求項６記載の情報処理方法。
【請求項８】
前記記憶部に記憶された前記設定されるべき情報が変更された場合に、前記送出工程は前記画像処理装置へ前記変更された前記設定されるべき情報を送出することを特徴とする請求項６又は７記載の情報処理方法。
【請求項９】
前記画像処理装置による前記別の通信処理にはファックス受信が含まれることを特徴とする請求項６乃至８のいずれかに記載の情報処理方法。
【請求項１０】
前記送出工程は、前記記録工程により前記設定されるべき情報の設定が行われていないと判定された場合でも、別の画像処理装置へ設定されるべき情報を送出することを特徴とする請求項６乃至９のいずれかに記載の情報処理方法。
【発明の詳細な説明】
【０００１】
【発明の属する技術分野】
本発明は、周辺機器装置の設定を行う、システム、および、情報処理方法に関する。
【０００２】
【従来の技術】
従来、ネットワークに接続される周辺機器装置のネットワークの設定および周辺機器装置の種々の初期設定は、装置に具備している操作部によって、オペレータ若しくは管理者がネットワーク設定や周辺機器装置の種々の初期設定を直接入力するか、又は、ホストコンピュータからネットワーク機器が具備しているネットワーク管理用のＭＩＢ（Ｍａｎａｇｅｍｅｎｔ  Ｉｎｆｏｒｍａｔｉｏｎ  Ｂａｓｅ）という仮想的なデータベースを、ＳＮＭＰ（Ｓｉｍｐｌｅ  Ｎｅｔｗｏｒｋ  Ｍａｎａｇｅｍｅｎｔ  Ｐｒｏｔｏｃｏｌ）のネットワーク管理プロトコルを利用して操作することによって実現していた。
【０００３】
また、ネットワーク設定については、ネットワーク設定がまだされていないディスクレスコンピュー夕などがネットワーク上のアドレス定義やコンピュータが起動するためのオペレーティングシステム等を読み込むために考えられたＢＯＯＴＰ（ＢＯＯＴ  Ｐｒｏｔｏｃｏｌ）や、ＤＨＣＰ（Ｄｙｎａｍｉｃ  ＨｏｓｔＣｏｎｆｉｇｕｒａｔｉｏｎ  Ｐｒｏｔｏｃｏｌ）などの技術があり、周辺機器装置においてもこの技術を利用した装置も見受けられる。
【０００４】
【発明が解決しようとする課題】
しかしながら、上記従来の例では、下記に示すような問題がある。
【０００５】
第１に、周辺機器装置の初期設定情報を装置が具備している操作部から全て入力する場合、数多くの設定項目を持っている機種もあり、オペレータに大変な負荷をかけると共に、入力ミスが発生することがある。また、複数の周辺機器装置を設定するために、機器の設置場所まで出向いて初期設定を操作しなければならない。
【０００６】
第２に、ネットワークの接続を前提としたＳＮＭＰ、ＢＯＯＴＰ、ＤＨＣＰなどの設定では、周辺機器装置の設置時に最低限のネットワークの初期設定を行う必要が生じるため、装置本体の設置時に、ネットワークの設定を行う担当者の立ち会いが必要であり、また、装置に具備されたネットワークの最低限の設定とは別に、ネットワーク上からの設定を行うためにＳＮＭＰのユーティリティの操作や、ＢＯＯＴＰ、ＤＨＣＰの各サーバへの登録作業が必要となり、ネットワークを介した機器の動作を行うために２度、３度の手間が発生する。
【０００９】
そこで、本発明の目的は、周辺機器装置の設定の煩雑さをなくし、作業処理を効率良く行うことが可能な、システム、および、情報処理方法を提供することにある。
【００１０】
【課題を解決するための手段】
本発明は、外部から第１の通信媒体を介して転送されてきた印刷データに基づくプリンタ部による記録を行うプリンタ機能を備え且つ設定を行える操作部が設けられた画像処理装置と、該画像処理装置と第２の通信媒体を介して通信可能で、前記画像処理装置の設定を前記画像処理装置に行わせるべく前記画像処理装置に対して設定される情報を送出可能な情報処理装置と、を含むシステムであって、前記情報処理装置が、記憶部に保持された複数の画像処理装置の各々に対して設定されるべき情報を参照する参照手段と、前記画像処理装置の操作部から変更可能な情報を含む前記画像処理装置に対して設定されるべき情報を、前記複数の画像処理装置の各々に対して前記第２の通信媒体を介して送出する送出手段と、前記送出手段により送出された前記設定されるべき情報の設定が行われたか否かを判定し、その判定結果を記録する記録手段と、前記情報の送出が失敗した場合および前記情報の送出が未完了の場合は、予め設定された間隔で前記第２の通信媒体の接続を行う接続手段とを有し、前記画像処理装置が、前記情報処理装置の送出手段により送出されてきた前記設定されるべき情報を、変更がなされるまで初期設定とし、さらに前記設定されるべき情報の通信処理とは別の通信処理を実行可能であることを特徴とする。
【００２０】
【発明の実施の形態】
以下、図面を参照して、本発明の実施の形態を詳細に説明する。
【００２１】
まず、本発明の概要について説明する。
【００２２】
本発明は、ローカル・エリア・ネットワーク（ＬＡＮ）に接続された公衆回線を介して、管理用ホストコンピュータと周辺機器装置とが接続可能なシステムを用い、管理用ホストコンピュータから周辺機器装置の設定情報を送出し、周辺機器装置ではその設定情報に基づいて初期化処理を行う場合において、
管理用ホストコンピュータに周辺機器装置の電話番号を設定する手段と、前記電話番号に関連付けられた周辺機器装置の設定情報を管理用ホストコンピュータ側で生成する手段と、その生成された設定情報を蓄積し一元的に管理する手段と、前記設定された電話番号を用いて管理用ホストコンピュータより周辺機器装置を公衆回線と接続する手段と、前記設定情報を管理用ホストコンピュータ側から周辺機器装置へと送出する手段とを具え、
前記設定情報に基づいた周辺機器装置のＬＡＮ−インターフェースの初期化設定を行い、ＬＡＮ接続が正常に機能するように制御することを特徴とする。
【００２３】
（具体例）
以下、具体的な例を挙げて説明する。
【００２４】
まず、本システムの構成を、図８〜図１１に基づいて説明する。
【００２５】
図８は、本システムの構成例を示す。
【００２６】
１０００は、プリンタ機能やファクシミリ機能を有する画像処理装置である。この画像処理装置１０００は、ネットワーク３００および電話回線３０１を介して、管理用ホストコンピュータ１２と接続されている。
【００２７】
ここで、画像処理装置１０００の構成について説明する。
【００２８】
画像処理装置１０００は、リーダ部１と、プリンタ部２と、画像入出力制御部３とに大別される。
【００２９】
リーダ部１は、原稿の画像を読み取り、原稿画像に応じた画像データをプリンタ部２および画像入出力制御部３へ出力する。
【００３０】
プリンタ部２は、リーダ部ｌおよび画像入出力制御部３からの画像データに応じた画像を記録紙上に記録する。
【００３１】
画像入出力制御部３は、リーダ部１に接続されており、ファクシミリ部４、ファイル部５、ネットワーク・インターフェース部７、ＬＩＰＳ（LBP Image Processing System ）フォーマッタ部８、０ＣＲ（文字認識）部９、コア部１０などからなる。
【００３２】
ファクシミリ部４は、電話回線３０１を介して受信した圧縮画像データを伸長して、伸長された画像データをコア部１０へ転送し、又、コア部１０から転送された画像データを圧縮して、圧縮された圧縮画像データを電話回線３０１を介して送信する。
【００３３】
ファイル部５には、光磁気ディスクドライブユニット６が接続されている。このファイル部５は、コア部１０から転送された画像データを圧縮し、その画像データを検索するためのキーワードと共に光磁気ディスクドライブユニット６にセットされた光磁気ディスクに記憶させる。また、ファイル部５は、コア部１０を介して転送されたキーワードに基づいて光磁気ディスクに記憶されている圧縮画像データを検索し、検索された圧縮画像データを読み出して伸長し、伸長された画像デー夕をコア部１０へ転送する。
【００３４】
ネットワーク・インターフェース部７は、パーソナルコンピュータ又はワークステーション（ＰＣ／ＷＳ）１１とコア部１０との間のインターフェースである。
【００３５】
フォーマッタ部（ＬＩＰＳ）８は、ＰＣ／ＷＳ１１から転送されたＬＩＰＳ言語で記述されたＰＤＬ（Page Description Language ）データをプリンタ部２で記録できる画像データに展開するものである。
【００３６】
フォーマッタ部（ＰＳ）９は、ＰＣ／ＷＳ１１から転送されたＰＳ言語で記述されたＰＤＬデータをプリンタ部２で記録できる画像データに展開するものである。
【００３７】
コア部１０は、リーダ部１、ファクシミリ部４、ファイル部５、ネットワーク・インターフェース部７、フォーマッタ部８，９のそれぞれの間のデータの流れを制御するものである（詳細な説明は後述する）。
【００３８】
１２は、管理用ホストコンピュータであり、後述する図１０で説明するような、周辺機器装置の設定値情報を一元的に管理・保持している。この管理用ホストコンピュータ１２は、モデム装置１３を通じて電話回線３０１に接続されている。
【００３９】
図９は、リーダ部１およびプリンタ部２の断面図である。
【００４０】
リーダ部１において、原稿給送装置ｌ０１は、原稿を最終頁から順に１枚ずつプラテンガラス１０２上へ給送し、原稿の読み取り動作終了後、プラテンガラス１０２上の原稿を排出する。原稿がプラテンガラス１０２上に搬送されると、ランプ１０３が点灯し、スキャナユニット１０４が移動を開始し、原稿を露光走査する。このときの原稿からの反射光は、ミラー１０５、１０６、１０７、レンズ１０８によってＣＣＤイメージセンサ（以下、ＣＣＤという）１０９へ導かれる。このように、走査された原稿の画像は、ＣＣＤ１０９によって読み取られる。ＣＣＤ１０９から出力された画像データは、信号変換装置１００において所定の処理が施された後、プリンタ部２および画像入出力制御部３のコア部１０へ転送される。
【００４１】
プリンタ部２において、レーザドライバ２２１は、レーザ発光部２０１を駆動する。このレーザドライバ２２１では、リーダ部１から出力された画像データに応じた駆動信号に基づいてレーザ発光部２０１を発光させ、レーザ光を出射する。このレーザ光は、レンズ２０１ａ，ミラー２０１ｂを介して、感光ドラム２０２に照射され、これにより感光ドラム２０２にはレーザ光に応じた潜像が形成される。この感光ドラム２０２の潜像の部分には、現像器２０３によって現像剤が付着される。
【００４２】
そして、レーザ光の照射開始と同期したタイミングで、カセット２０４およびカセット２０５のいずれかから記録紙２３０が給紙され、転写部２０６へ搬送される。これにより、感光ドラム２０２に付着した現像剤が記録紙２３０に転写される。現像剤が転写された記録紙２３０は、定着部２０７に搬送され、定着部２０７の熱と圧力により現像剤は記像紙２３０に定着される。定着部２０７を通過した記録紙２３０は、排出ローラ２０８によって排出され、ソータ２２０のそれぞれのビンに収納され、これにより記録紙２３０の仕分けが行われる。
【００４３】
なお、ソータ２２０は、仕分けが設定されていない場合は、最上ビンに記録紙２３０を収納する。また、両面記録が設定されている場合は、排出ローラ２０８のところまで記録紙２３０を搬送した後、排出ローラ２０８の回転方向を逆転させ、フラッパ２０９によって再給紙搬送路２１０へ導く。多重記録が設定されている場合は、記録紙２３０を排出ローラ２０８まで搬送しないように、フラッパ２０９によって再給紙搬送路２１０へ導く。再給紙搬送路２１０へ導かれた記録紙２３０は、上述したタイミングで転写部２０６へ給紙され、同様な転写処理が行われる。
【００４４】
図１０は、リーダ部１の構成を示す。
【００４５】
ＣＣＤ１０９から出力された画像データは、信号変換装置１００のＡ／Ｄ・ＳＨ部１１０に入力される。このＡ／Ｄ・ＳＨ部１１０では、アナログ／デジタル変換（Ａ／Ｄ）が行われると共に、シェーディング補正（ＳＨ）が行われる。Ａ／Ｄ・ＳＨ部１１０によって処理された画像データは、画像処理部１１１を介してプリンタ部２へ転送されると共に、インターフェース部（Ｉ／Ｆ）１１３を介して画像入出力制御部３のコア部１０へ転送される。ＣＰＵ１１４は、操作部１１５で設定された設定内容に応じて画像処理部１１１およびインターフェース１１３を制御する。
【００４６】
例えば、操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インターフェース１１３から画像データと設定されたモードに応じた制御コマンドをコア部１０へ転送させる。このようなＣＰＵ１１４の制御プログラムは、メモリ１１６に記憶されており、ＣＰＵ１１４はメモリ１１６を参照しながら制御を行う。また、メモリ１１６は、ＣＰＵ１１４の作業領域としても使われる。
【００４７】
図１１は、画像入出力制御部３におけるコア部１０の構成を示す。
【００４８】
リーダ部１からの画像データは、インターフェース部（Ｉ／Ｆ）１１３を介してデータ処理部１２１へ転送されると共に、リーダ部１からの制御コマンドはＣＰＵ１２３へ転送される。データ処理部１２１は画像の回転処理や変倍処理などの画像処理を行うものであり、リーダ部１からデータ処理部１２１へ転送された画像データは、リーダ部１から転送された制御コマンドに応じて、インターフェース１２０を介してファクシミリ部４、ファイル部５、ネットワークインターフェース部７へ転送される。
【００４９】
また、ネットワークインターフェース部７を介して入力された画像を表すコードデータは、データ処理部１２１に転送され、そのＰＤＬがＬＩＰＳであるのかあるいはポストスタリプトであるのかを判定し、しかるべきフオーマッタ部８ないし９へ転送されて画像データに展開され、この画像データはデータ処理部１２１に転送された後、ファタシミリ部４やプリンタ部２へ転送される。ファクシミリ部４からの画像データは、データ処理部１２１へ転送された後、プリンタ部２やファイル部５、ネットワークインターフェース部７へ転送される。
【００５０】
また、ファイル部５からの画像データは、データ処理部１２１へ転送された後、プリンタ部２やファクシミリ部４、ネットワークインターフェース部７へ転送される。ＣＰＵ１２３はメモリに記憶されている制御プログラム、及ぴリーダ部１から転送された制御コマンドに従ってこのような制御を行う。
【００５１】
また、メモリ１２４は、ＣＰＵ１２３の作業領域としても使われる。ネットワークインターフェース部７には、ＭＩＢ（Ｍａｎａｇｅｍｅｎｔ  Ｉｎｆｏｒｍａｔｉｏｎ  Ｂａｓｅ）と呼ばれるデーターベースが構築されており、ＳＮＭＰプロトコルを介してネットワーク３００上のコンピュータと通信し、プリンタの管理が可能になっている。部門ＩＤごとに設定可能なプリント枚数やその他の各種設定が装置の操作部あるいはネットワーク３００上のコンピュータから設定、管理が可能となっている。
【００５２】
このように、コア部１０を中心に、原稿画像の読み取り、画像のプリント、画像の送受信、画像の保存、コンピュータからのデータの入出力などの機能を複合させた処理を行うことが可能である。
【００５３】
次に、本発明に係る設定情報を、図３〜図７に基づいて説明する。
【００５４】
図３は、管理用ホストコンピュータ１２上で一元的に管理・保存されている周辺機器装置の設定情報４００のデータベース構造の一例である。この例では、各々の周辺機器装置の電話番号に対応して、ネットワーク設定、プリンタ設定などの設定項目毎に細分化して分類されている。
【００５５】
設定情報４００においては、電話番号Ａ、電話番号Ｂ…が、画像処理装置１０００に関連付けされた設定情報とされている。
【００５６】
ここで、電話番号１を例に挙げると、ネットワーク情報（Network ）４１０  プリンタ本体のプリンタ情報（Printer Setting ）４２０、アカウント情報（Account ）４３０、コネクション情報（Connection）４４０の各設定項目に細分化して分類されている。
【００５７】
ネットワーク情報（Network ）４１０  としては、ＴＣＰプロファイル（TCP Profile ）４１１、ネットウェアプロファイル（Net Ware Profile）４１２、アップルトークプロファイル（Apple Talk Profile）４１３がある。
【００５８】
プリンタ情報（Printer Setting ）４２０としては、入出力プロファイル（InputOutput Profile ）４２１、コモンプロファイル（Common Profile）４２２、ＬＩＰＳプロファイル４２３がある。
【００５９】
アカウント情報（Account ）４３０としてはアカウントプロファイル４３１があり、コネクション情報（Connection）４４０としては入力プロファイル４４１がある。
【００６０】
図４は、ネットワーク情報４１０の設定項目の一つであるＴＣＰプロファイル４１１の例を示す。
【００６１】
このＴＣＰプロファイル４１１で設定される内容としては、ネットワークパケットのフレームのタイプ設定（Frame −Type）４１１ａ、ＩＰアドレスの取得方法（IP−mode）を手動で行うかどうかの設定４１１ｂ、ＩＰアドレスの値（IP−Address ）の設定４１１ｃ、サブネットワークのネットワークマスク情報の設定（subnet−Mask）４１１ｄ、他のネットワークとの接続を行うルータやゲートウェイ装置のＩＰアドレスの設定（Gateway −address ）４１１ｅ、プリントサービスの種類の設定（Print −service ）４１１ｆなどがある。これらの設定値は、管理用ホストコンピュータ１２で管理保持される。
【００６２】
図５は、プリンタ情報４２０の設定項目の一つであるコモンプロファイル４２２の例を示す。
【００６３】
このコモンプロファイル４２２で設定される内容としては、印刷時の複写枚数の設定（copies）４２２ａ、印刷時にプリンタのスムージング機能を使用するか否かの設定（refine）４２２ｂ、トナー消費モードの設定（Toner-Saving）４２２ｃ、印刷時の画像濃度（Toner-Density ）４２２ｄ、両面印刷を行うか否かのモード設定（Duplex-mode ）４２２ｅ、綴じ代余白の設定（Bind-margin ）４２２ｆ、綴じ方を長手／短手で行うための設定（Bind-Direction）４２２ｇ、画像の印刷解像度の設定（resolution）４２２ｈなどがある。これらの設定値は、管理用ホストコンピュータ１２で管理保持される。
【００６４】
図６は、アカウント情報（Account ）４３０の設定項目として、アカウントプロファイル４３１の例を示す。
【００６５】
このアカウントプロファイル４３１で設定される内容としては、部門コード情報、部門ＩＤ情報、パスワード情報、ＦＡＸ使用情報、コピー使用情報などの情報を一つの情報単位４３１ａとし、この情報単位４３１ａを複数設定する。これらの設定値は、管理用ホストコンピュータ１２で管理保持される。
【００６６】
図７は、ネットワーク３００上の他の周辺機器とのコネクション情報４４０の設定項目の一つである入力プロファイル４４１の例を示す。
【００６７】
この入力プロファイル４４１で設定される内容としては、入力機器の装置情報（Input −Device）４４１ａ、入力機器のＩＰアドレス情報（Input −Address ４４１ｂ、コネクションを持つ機器との転送モードの設定（Transmission−Mode）４４１ｃ、入力機器の解像度の設定（resolution）４４１ｄ、入力機器が読み取る用紙サイズの設定（Media −size）４４１ｅ、コネクションを持つ機器との転送データ形式の設定（Data−format）４４１ｆなどがある。これらの設定値は、管理用ホストコンピュータ１２で管理保持される。
【００６８】
なお、設定情報４００を画像処理装置１０００の課金のために必要とされる課金情報とし、当該課金情報を画像処理装置１０００に送出し、課金情報４００に基づいて画像処理装置４００の初期化設定を行うことがてきる。
【００６９】
また、設定情報４００は、画像処理装置１０００の外部入出力装置に関する情報とし、当該情報を画像処理装置１０００に送出し、当該情報に基づいて画像入出力制御部３の初期化設定を行うことができる。
【００７０】
次に、本発明に係る処理を、図１および図２に基づいて説明する。
【００７１】
図１は、管理用ホストコンピュータ１２側での処理を示す。
【００７２】
ステップＳ１００１では、処理が開始される。この処理の開始は、予め定められた設定手段によって例えば周期的に起動されてもよい。
【００７３】
そして、図３の電話番号Ａに対応する識別番号はＩＤ＝１とし、電話番号Ｂに対応する識別番号はＩＤ＝２となるように、順次、ＩＤ番号を電話番号に関連付けを行い、管理用ホストコンピュータ１２上に登録されたすべての電話番号に対して処理を進めていく。
【００７４】
ステップＳ１００２では、ＩＤ番号に関連付けられた設定情報４００を管理データベースから検索し、その情報の参照を行う。
【００７５】
ステップＳ１００３では、既に情報の送出が行われているかどうかの判断を行い、完了していれば、ステップＳ１００４に進む。
【００７６】
ステップＳ１００４では、周辺機器装置の設定情報４００の更新が必要かどうかを判断し、必要なければステップＳ１０１１に処理を移し、必要であれば情報の更新が完了していないときと同じステップＳ１００５の処理に移行する。
【００７７】
ステップＳ１００５では、管理ホストは取り付けられているモデム装置１３によって、電話番号１に対応した周辺機器装置、すなわち、ここでは画像処理装置１０００に電話接続を行い、電話回線３０１の接続が確立したら、ステップＳ１００６に移行する。
【００７８】
なお、公衆回線接続が正常に行えない場合は、タイムアウト手段（図示せず）などによって強制的にステップＳ１０１０の処理に移行するような制御としてもよい。
【００７９】
ステップＳ１００６では、電話番号１に対応する周辺機器装置の設定情報４００の送出を行う。
【００８０】
ステップＳ１００７では、周辺機器装置から設定が正常に完了したかどうかの設定完了通知の受信を行う。
【００８１】
なお、ステップＳ１００６とステップＳ１００７の処理において、もし予期しない公衆回線接続の切断が行われた場合は、タイムアウト手段（図示せず）によって、強制的にステップＳ１０１０の処理に移行してもよい。
【００８２】
ステップＳ１００８では、ステップＳ１００７の設定完了通知の結果から、周辺機器装置の設定が正常に完了したかどうかを判断する。
【００８３】
例えば、送出した設定値が不完全で設定が完了していないという通知をステップＳ１００７で受信していれば、ステップＳ１０１０に移行する。また、送出した設定値の設定が正常に完了したと判断されるときは、ステップＳ１００９に移行する。
【００８４】
ステップＳ１００９では、対応するＩＤの情報の設定完了フラグを完了とし、その対応するＩＤの情報に書き込みを行う。
【００８５】
ステップＳ１０１０では、対応するＩＤの情報の設定完了フラグを未完了とし、対応するＩＤの情報に書き込みを行う。
【００８６】
ステップＳ１０１１では、全てのＩＤ（電話番号）について処理が完了したかどうかの判断を行い、完了していなければステップＳ１０１２に進み、完了していればステップＳ１０１３に進む。
【００８７】
ステップＳ１０１２では、ＩＤ番号を１つ加算して、この場合、電話番号２の情報を次に参照するように設定し、ステップＳ１００２の処理に戻る。
【００８８】
ステップＳ１０１３では、すべてのＩＤ（電話番号）について処理が完了したことにより、アイドル状態となる。
【００８９】
図２は、設定情報４００を受信する周辺機器側での処理を示す。
【００９０】
ステップＳ１１０１では、処理が開始される。この処理の起動は、前記管理ホスト側の処理のステップＳ１００５に応じて起動される（電話回線のフック処理に同期している）。
【００９１】
ステップＳ１１０２では、電話回線３０１との接続を行う。
【００９２】
ステップＳ１１０３では、設定情報４００の受信であるかどうかの判断を行う。
【００９３】
例えば、通話やＦＡＸ受信などの通常の通信の場合には、ステップＳ１１０４で他の通信処理を行うルーチンに処理が移され、ステップＳ１１０５において処理を終了する。
【００９４】
ステップＳ１１０３で設定情報４００の受信と判断されると、ステップＳ１１０６に進む。
【００９５】
ステップＳ１１０６では、設定情報４００の受信を行う。本例では、電話番号１に対応した設定情報４００が画像処理装置１０００に転送される。
【００９６】
なお、この受信処理中に予期しない公衆回線接続の切断が行われた場合は、タイムアウト手段（図示せず）によって、強制的にステップＳ１１１２の処理に移行してもよい。
【００９７】
ステップＳ１１０７では、正常に受信が完了したかどうかの判断を行う。受信が完了しない場合はステップＳ１１１２に進み、受信が完了した場合はステップＳ１１０８に進む。
【００９８】
例えば、チェックサム値の異常などの受信不良のときには、ステップＳ１１１２に移行し、処理を終了する。
【００９９】
ステップＳ１１０８では、周辺機器装置の設定の更新を行う。
【０１００】
ステップＳ１１０９では、正常に設定が行えたかどうかの判断を行う。設定が正常に行えた場合はステップＳ１１１０に進み、設定が正常に行えない場合はステップＳ１１１１に進む。
【０１０１】
このとき、例えば、１０ＢＡＳＥ−Ｔしかインターフェースを持たない周辺機器装置に対して、１０ＢＡＳＥ−２に設定を行うような誤った設定が行われた場合は、ステップＳ１１１１の処理に移行する。
【０１０２】
ステップＳ１１１０では、設定完了の通知を、管理ホスト側の図１に示すステップＳ１００７の処理に対して行う。
【０１０３】
ステップＳ１１１１では、設定内容の全部もしくは一部に問題があったことを管理ホスト側に通知を行う。この場合、管理ホスト側での対応する処理は、図１に示すステップＳ１００７の設定完了通知の処理に対応する。
【０１０４】
そして、全ての処理が完了したら、ステップＳ１１１２に移行して処理を終了する。
【０１０５】
上述した例において、管理ホスト装置と周辺機器装置との接続は、予め設定された設定値の間隔に対応して公衆回線を介して接続するようにしてもよい。
【０１０６】
また、周辺機器装置に対する設定情報の初期設定値が変更された場合に回線接続を行い、変更された設定情報に基づいて周辺機器装置の初期化設定の更新を行うようにしてもよい。
【０１０７】
また、一度初期の設定情報を送付した周辺機器装置に対しては、設定情報が変更されるまでは回線接続を行わないようにしてもよい。
【０１０８】
また、管理ホスト装置は、回線接続の状況、および、送出される設定情報の送出状況をトレースし、該トレースした状況に応じて予め決定された機器管理を行うような管理プログラムとしてもよい。
【０１０９】
この場合、設定情報の送出が成功、失敗、又は未完了かを記録するようにしてもよい。すなわち、設定情報の送出が成功した場合は、成功を示す状態を記録し、また、設定情報の送出が失敗した場合は、失敗を示す状態を記録し、予め設定された設定値の間隔で回線接続を行うようにし、また、設定情報の送出が未完了の場合は、未完了の状態を記録し、予め設定された設定値の間隔で回線接続を行うようにしてもよい。さらに、設定情報が上書きされて変更されたときは、前記記録手段の状態を成功から未完了の状態へ変更し、予め設定された設定値の間隔で回線接続を行うようにしてもよい。
【０１１０】
なお、本発明は、複数の機器から構成されるシステムに適用しても、１つの機器からなる装置に適用してもよい。また、本発明はシステム或いは装置にプログラムを供給することによって達成される場合にも適用できることはいうまでもない。この場合、本発明を達成するためのソフトウェアによって表されるプログラムを格納した記憶媒体を該システム或いは装置に読み出すことによって、そのシステム或いは装置が、本発明の効果を享受することが可能となる。
【０１１１】
【発明の効果】
以上説明したように、本発明によれば、複数の周辺機器装置を設定するために、機器の設置場所まで出向いて操作する必要もなくなり、これにより、作業の効率化を図ることができる。
【図面の簡単な説明】
【図１】本発明の実施の形態である管理ホスト側の処理を示すフローチャートである。
【図２】周辺機器装置側の処理を示すフローチャートである。
【図３】電話番号に関連付けされた設定情報を示す説明図である。
【図４】設定情報の設定項目例を示す説明図である。
【図５】設定情報の設定項目例を示す説明図である。
【図６】設定情報の設定項目例を示す説明図である。
【図７】設定情報の設定項目例を示す説明図である。
【図８】本発明のシステム構成を示すブロック図である。
【図９】プリンタ機能を備えた画像処理装置の構成を示す断面図である。
【図１０】画像処理装置のリーダ部の構成を示すブロック図である。
【図１１】画像処理装置のコア部の構成を示すブロック図である。
【符号の説明】
１  リーダ部
２  プリンタ部
３  画像入出力制御部（外部入出力装置）
１２  管理用ホストコンピュータ
３００  ネットワーク
３０１  電話回線（公衆回線）
４００  設定情報
１０００  画像処理装置（周辺機器装置）
【図１】
0004323586.tif 000002
【図２】
0004323586.tif 000003
【図３】
0004323586.tif 000004
【図４】
0004323586.tif 000005
【図５】
0004323586.tif 000006
【図６】
0004323586.tif 000007
【図７】
0004323586.tif 000008
【図８】
0004323586.tif 000009
【図９】
0004323586.tif 000010
【図１０】
0004323586.tif 000011
【図１１】
0004323586.tif 000012